(57)【要約】【課題】筐体形状に合わせて筐体全体を有機ＥＬディスプレイなどの表示パネルを設け、その表示パネルにゲームに登場し常に表示方向などが変化する移動体の各面を表示することにより、メインのゲーム画面で用いるような、ハイレベルなＣＧをゲーム装置筐体側にも表現することができるテクスチャマッピングできるゲーム装置筐体を提供する。【解決手段】ゲーム画面７に表示される移動体の動作に合わせてゲーム機１の筐体前面，背面，側面および上面の表示パネルにそれぞれ移動体の前部，背部，側部および上部を含む画像が表示される。ゲーム筐体の周囲にいる観客は、ゲーム中の移動体の状態を見ることができる。【選択図】図１
2008178510.tif 000002
【特許請求の範囲】
【請求項１】
ゲーム装置筐体内の一部にプレイヤを収容する収容部を有し、該収容部に対しゲーム画面を設置したゲーム装置筐体であって、
前記ゲーム装置筐体の前面，背面，左右側面または上面にそれぞれ表示パネルを設け、
前記ゲーム画面に表示されている移動体の前部，背部，左右側部または上部に対応させ、前記ゲーム装置筐体の前面の表示パネルには前記移動体の前部を、前記背面の表示パネルには前記移動体の背部を、前記左右側面の表示パネルには前記移動体の左右側部を、前記上面の表示パネルには前記移動体の上部をそれぞれ表示制御する制御手段を設けたことを特徴とするテクスチャマッピングできるゲーム装置筐体。
【請求項２】
前記制御手段は、前記移動体の前部，背部，左右側部または上部の表示に変化が生じた場合、ぞれぞれ対応する前記ゲーム装置筐体の表示パネルの表示も同じように変化させることを特徴とする請求項１記載のテクスチャマッピングできるゲーム装置筐体。
【請求項３】
前記表示パネルは有機ＥＬパネルで構成したことを特徴とする請求項１または２記載のテクスチャマッピングできるゲーム装置筐体。
【請求項４】
前記移動体は、バイク，自動車，電車，船舶，飛行機，宇宙船であることを特徴とする請求項１，２または３記載のテクスチャマッピングできるゲーム装置筐体。
【発明の詳細な説明】
【技術分野】
【０００１】
本発明は、自動車レースゲームのような業務用ゲームの専用筐体において、筐体全体または一部を有機ＥＬなどの変形が容易なディスプレイパネルで覆い、筐体にディジタル画像やムービーをマッピングするゲーム装置筐体に関する。
【背景技術】
【０００２】
従来のゲーム装置には電飾機能を持ったビデオゲーム専用筐体やビデオゲーム用汎用筐体が用いられている。これら従来のゲーム装置筐体に搭載されている電極機能は、多数の電飾を点滅させることによりゲーム装置を演出するもので、ゲーム機の補助的な機能を持つものである。また、インターネットを利用することにより、電飾の点滅を制御するソフトウェアのアップデートがネットワーク経由で可能になっているが、ゲーム装置筐体デザインの変更は、筐体外観に貼付するシールやパーツを郵送することにより行われるものである。
【０００３】
この他に筐体外観部に電飾部を持つゲーム装置として電飾部を広告のために用いるものが提案されている（特許文献１）。これは、観客に、より視覚的インパクトの強い電飾的効果を与え、ゲームの邪魔にならない広告部を有するゲーム装置であり、電飾部の観客方向への光は光量の多い主放射を行い、遊技者の方向への光は光量の少ない副放射を行うように構成したものである。
外観部の電飾機能は広告のためにその方向によって光量を変えており、その内容を変動させることはできない。
【特許文献１】特開平１０−２１６３５６号公報
【特許文献２】特開２００４−６２０５２号公報
【発明の開示】
【発明が解決しようとする課題】
【０００４】
さらに本来の画面表示部ではなく、その周囲の外枠の外観イメージを変更できる装置が提案されている（特許文献２）。これは塗装の塗り替えや外装体の付け換えなどを行うことなく外観を自由に変えることを目的としたもので、装置に電力供給のときに外観部を表示させ、電力供給停止後にもその表示を保持可能な不揮発性表示媒体を備えたものである。
【０００５】
特許文献２は例えば液晶ディスプレイの外枠や時計の外枠の表示を容易に変えるものであるが、特許文献１と同様に画面の内容に応じてその表示内容を変えるものではない。
従来のゲーム装置筐体では、上述したようにアプリケーションから直接操作できる機能でも、電飾の点滅のように、その機能が無くてもゲームが成立する程度の能力しか持っていない。
本発明の目的は、筐体形状に合わせて筐体全体を有機ＥＬディスプレイなどの表示パネルを設け、その表示パネルにゲームが登場し常に表示方向などが変化する移動体の各面を表示することにより、メインのゲーム画面で用いるような、ハイレベルなＣＧをゲーム装置筐体側にも表現することができるテクスチャマッピングできるゲーム装置筐体を提供することにある。
【課題を解決するための手段】
【０００６】
前記目的を達成するために本発明の請求項１は、ゲーム装置筐体内の一部にプレイヤを収容する収容部を有し、該収容部に対しゲーム画面を設置したゲーム装置筐体であって、前記ゲーム装置筐体の前面，背面，左右側面または上面にそれぞれ表示パネルを設け、前記ゲーム画面に表示されている移動体の前部，背部，左右側部または上部に対応させ、前記ゲーム装置筐体の前面の表示パネルには前記移動体の前部を、前記背面の表示パネルには前記移動体の背部を、前記左右側面の表示パネルには前記移動体の左右側部を、前記上面の表示パネルには前記移動体の上部をそれぞれ表示制御する制御手段を設けたことを特徴とする。
本発明の請求項２は、請求項１記載の発明において前記制御手段は、前記移動体の前部，背部，左右側部または上部の表示に変化が生じた場合、ぞれぞれ対応する前記ゲーム装置筐体の表示パネルの表示も同じように変化させることを特徴とする。
本発明の請求項３は、請求項１または２記載の発明において前記表示パネルは有機ＥＬパネルで構成したことを特徴とする。
本発明の請求項４は請求項１，２または３記載の発明において前記移動体は、自動車，電車，船舶，飛行機，宇宙船であることを特徴とする。
【発明の効果】
【０００７】
上記構成によれば、以下のような効果を得ることができる
ゲーム画面と略同等の表現をゲーム装置筐体各面に反映するので、プレイヤおよびゲーム機付近にいる観客に対しゲーム画面の中の移動体などのダメージやパワーアップの状態をよりリアル表現することができる。
筐体外装がソフトウェアから直接変更可能に構成できるため、ゲーム内容だけでなく、筐体の外装もネットワークを通じた変更を行うことができる。
専用筐体の場合、ゲーム画面が外側から見づらい設計が多く、デモ専用画面をアピールすることが困難であったが、筐体全体を「デモ画面」にすることも可能であるので、集客力アップに貢献することができる。
ゲーム機開発過程において、ゲーム画面中のコンテンツを担当するデザイナと筐体の外装を担当するデザイナが分かれていることが多いが、本発明を利用した場合、必要な技術やスキルに差が少なくなるため、同一の人物がゲーム画面と外装の両方を担当することが可能になり、ゲームと筐体の一体感を強調することができる。
汎用筐体に利用可能なため、汎用筐体独特の「地味さ」を解消してインテリアとして用いることができ、ゲームセンター以外の場所で需要を増加させることができる。
【発明を実施するための最良の形態】
【０００８】
以下、図面を参照して本発明の実施の形態を詳しく説明する。
図１は、本発明によるゲーム装置筐体の外観を説明するための図である。
ゲーム機１の筐体は、矩形状であり、その一部にプレイヤがゲームを行うための収容部１０を有している。収容部１０は左右部分および上部は開口状態であり、床部分にシート１０ａが配置されている。プレイヤ５はシート１０ａに着席してハンドル４やブレーキペダル，アクセルペダルなどを操作してゲームを行うことができる。プレイヤ５の前面にはゲーム画面７が配置されている。
【０００９】
ゲーム機１の筐体前面１ａ，筐体背面１ｂ，筐体上面１ｃ，筐体左側面１ｄおよび筐体右側面１ｅには有機ＥＬなどの表示パネル３ａ，３ｂ，３ｃ，３ｄおよび３ｅがそれぞれ配置されている。
各表示パネル３ａ，３ｂ，３ｃ，３ｄおよび３ｅにはゲーム画面７でプレイヤが運転する、例えば車の各方向から見た場合のテクスチャー画面が表示され、プレイヤが運転する車の状況に応じて各面の画面は刻々と変わる。
【００１０】
図２は、図１のゲーム装置のゲーム画面の一例を説明するための図である。
プレイヤがハンドル，アクセル，ブレーキ操作によって車９を運転している状態において、車の背面から見た図の映像が表示されている。画面の左上には現在のスコアが表示されており、さらに右下にはスピードメータが表示されている。プレイヤは車の背面から見た位置から車９をコースに沿って運転することとなる。
【００１１】
図３Ａ，図３Ｂは図１のゲーム装置のゲーム画面に表示される車を撮影する方向を説明するため側面および上面からゲーム世界を見た図である。
車９の前面，背面，左右側面および上面側の位置にカメラ６ａ，６ｂ，６ｃ，６ｄおよび６ｅをそれぞれ設置してある。また、ゲーム画面用のカメラとして車の直ぐ背後にカメラ６ｆが設置してある。例えば、敵１０が背後から近づいている場合にはカメラ６ｂは車９の背後に迫りつつある敵１０の姿を含めて撮影する。
なお、これらカメラは、３次元計算上のパラメータによるものであり、このカメラ位置から見た画像を作るものである。
【００１２】
図４は、ゲーム画面内の車を各方向から見た映像の例を示すゲーム装置筐体の斜視図である。
ゲーム画面が例えば、図２に示すように車を運転している状態であれば、筐体前面１ａ，筐体背面１ｂ，筐体上面１ｃ，筐体左側面１ｄおよび筐体右側面１ｅの各表示パネルには、それぞれのカメラでレンダリングした映像である車前部９ａ，車後部９ｂ，車上部９ｃ，車左側部９ｄおよび車右側部９ｅを含む画面がそれぞれに表示される。この時、敵１０が迫りつつあれば筐体背面１ｂには車背部９ｂの後ろに敵１０が表示される。また、例えば、車左側面がガードレールなどに接触した場合、車左側部から接触時の火花・煙８が表示される。その結果、キズが付いた場合にはキズが付いた車左側部が表示される。
【００１３】
図５は、本発明によるゲーム装置筐体の回路の実施の形態を示すブロック図である。
コイン投入部２はコイン関連装置１３に接続され、コイン関連装置１３に投入したコインが収容され、そのデータが入出力制御装置１４に送られる。操作部１１はアクセルペダル，シフトレバー，ブレーキペダル，ハンドルなどを含んでおり、これら情報は入出力制御装置１４に送られる。さらに決定ボタンなどがあり、その操作情報は同様に入出力制御装置１４に送られる。入出力制御装置１４は受信したデータをバス１５を介してＣＰＵ１２に送出する。ＲＯＭ１８には例えばドライブアクションゲームの制御および実行するプログラムおよび必要なデータ（ポリゴンモデルのデータなど）が格納されており、ＲＡＭ１９はＣＰＵ１２が演算，処理を行うときに作業エリアとして用いられる。ＲＡＭ１９は、またドライブアクションの履歴データ（運転中のフレーム毎のハンドル，アクセル，ブレーキ状態，位置，速度等）やＨＤＤから読み込んだデータ（各コースのデータテーブルなど）を一時的に保持する。
【００１４】
サウンド処理部１７ではＣＰＵ１２からの指示により、ＢＧＭなどの音楽信号の出力処理がなされ、デモ時やゲーム中にスピーカ２２から音楽などが流れる。
ＣＰＵ１２はＲＯＭ１８から読み込まれたプログラムにしたがってゲーム機全体を制御するとともにドライブアクションゲームを実行処理するゲーム制御部１２ａ，ＲＯＭ１８から読み出されＲＡＭ１９に記憶されたポリゴンモデルデータをジオメトリ処理およびレンダリング処理する３Ｄ描画処理部１２ｂおよび車の各面部のレンダリング処理された画像データを各表示パネルに表示するため、各面対応のテクスチャー処理された画像データを各面毎に駆動させる制御信号を出力するパネル制御部１２ｃの各機能を有する。３Ｄ描画処理部１２ｂのジオメトリ処理はポリンゴンデータの座標データを高速に処理するもので、ポリゴンデータのモデルの移動，回転等に対する処理が行われ、クリッピング，透視変換などを行う。レンダリング処理では陰面処理およシェーディング処理が行われる。各面対応に設置されるカメラから見たレンダリング処理が行われ、同時にゲーム画面用のカメラ６ｆから見た場合のレンダリング処理も行われる。
【００１５】
パネル制御部１２ｃは、３Ｄ描画処理部１２ｂでレンダリング処理された各面毎の画像データを受けて各面に対する駆動指令をパネル駆動回路２１に対し送出する。パネル駆動回路２１は各面毎の画像を受け、前面表示パネル３ａ，背面表示パネル３ｂ，上面表示パネル３ｃ，左側面表示パネル３ｄおよび右側面表示パネル３ｅにそれぞれ車の各面部を表示する。一方、ゲーム制御部１２ａはゲーム画面用のレンダリング処理した画像データを画像処理部１６を介して画像表示部７に表示する。
【００１６】
図６は、ゲームメインの流れを説明するためのフローチャートである。
ゲーム装置が立ち上がり、ＣＰＵ１２は装置制御のメインループを立ち上げ（ステップ（以下「Ｓ」という）００１）、その中のデモループの実行を開始する（Ｓ００２）。ＣＰＵ１２はＨＤＤ２０からデモデータを読み出し、このデモデータを画像処理部１６を介して画像表示部７にデモ画面を表示する（Ｓ００３）。プレイヤがコイン投入部２からコインを投入すると、その情報はコイン関連装置１３，入出力制御装置１４を介してＣＰＵ１２に送られる。ＣＰＵ１２はデモ画面を停止し（Ｓ００４）、ゲームプログラムをＲＯＭ１８から読み込んでゲームを開始するための画面を画像表示部７に表示する（Ｓ００５）。プレイヤは操作部１１により、ドライブアクションゲームに登場させる車の種別などを選択し、決定することによりゲームを開始することができ、画像表示部７には例えば図２で示すような画面が表示される（Ｓ００６）。プレイヤは操作部１１を操作することによりゲームを楽しむことができる。ゲームオーバーなどでゲームが終了すると、ゲーム画面をループアウトする（Ｓ００７）。また、再起動した場合も、ループアウトする（Ｓ００８）。
【００１７】
図７は、ゲーム機筐体の各面に表示パネルが存在しない場合のゲームの表示処理を説明するためのフローチャートである。
ゲーム開始で、ゲーム制御部１２ａは画面表示ループを実行する（Ｓ１０１）。プレイヤが操作部１１（アクセルペダル，シフトレバーなど）を操作する（Ｓ１０２）とその情報はＣＰＵ１２に送られる。その情報に従ってモデルデータを変形，移動させ、光源，環境光を変換させ、さらにカメラ位置，角度，焦点を変化させて３次元情報の更新を行う（Ｓ１０３，Ｓ１０４，Ｓ１０５（ジオメトリ処理））。さらに陰面処理およびシェーディング処理のレンダリングが行われる（Ｓ１０６）この情報は画像処理部１６を介して画像表示部７に表示される（Ｓ１０７）。このような動作を行って画面表示ループ終了であるならば、画面表示ループから抜け出る（Ｓ１０８）。
【００１８】
図８は、本発明によるゲーム機筐体の表示処理を説明するためのフローチャート、図９は図８の各面の投影の流れを説明するためのフローチャートである。
図８の処理フローのＳ２０１〜Ｓ２０４は図７のＳ１０１〜Ｓ１０４と同じであるので、その説明は省略する。
Ｓ２０４の光源，環境光を変化させた後、各面の投影処理に移行する（Ｓ２０５）。各面の投影処理を行い、画面表示ループ終了であるならば、画面表示ループから抜け出る（Ｓ２０６）。
Ｓ２０５において３Ｄ描画処理部１２ｂでは、図９に示すようにローカルフローＡ〜Ｆが実行される。すなわち、筐体左面，筐体右面，筐体上面，筐体前面，筐体背面およびプレイヤ用のそれぞれのカメラ位置，角度および焦点の変化（Ｓ２０５１１，Ｓ２０５２１，Ｓ２０５３１，Ｓ２０５４１，Ｓ２０５５１，Ｓ２０５６１）に対し、それぞれレンダリング処理が行われる（Ｓ２０５１２，Ｓ２０５２２，Ｓ２０５３２，Ｓ２０５４２，Ｓ２０５５２，Ｓ２０５６２）。
【００１９】
パネル制御部１２ｃは上記レンダリング処理した画像データに基づきパネル駆動回路２１を駆動し、前面表示パネル３ａ，背面表示パネル３ｂ，上面表示パネル３ｃ，左側面表示パネル３ｄおよび右側面表示パネル３ｅに車の各面部を含む画像を表示する（Ｓ２０５１３，Ｓ２０５２３，Ｓ２０５３３，Ｓ２０５４３，Ｓ２０５５３，Ｓ２０５６３）。また、ゲーム制御部１２ａは画像処理部１６を介してレンダリング処理した画像を画像表示部７に表示する（Ｓ２０５６３）。
【００２０】
図１０は、本発明によるゲーム装置筐体の他の実施の形態を説明するための図、図１１は、図１０のゲーム画面中の飛行機の状態を説明するための図である。
この実施の形態は飛行機２３の操縦を行うゲームであり、ゲーム筐体の上面，側面および背面にそれぞれ飛行機を上部，側部および背部から撮影した画面が表示される。
プレイヤは操縦席に座った状態で操縦を行い、その操縦の操作に従って飛行機が進行し、観客はその時の各方向からの飛行機の状態を見ることができる。
【００２１】
図１２は、他のゲーム装置筐体の形状の例を説明するための図である。
（ａ）はゲーム機筐体を自動車型筐体にした例であり、プレイヤが自動車を走行させて例えば、ガードレールにぶつけて車体のフェンダ付近にキズを作ったとする。この状態は外観の側部に表示されるファンダ部にキズも同時に表示されることとなる。
（ｂ）は電車型筐体にした例であり、プレイヤは電車の運転士となって運転を行うことができる。
（ｃ）はゲーム筐体として直に子供などが乗るための乗り物筐体にパネルを施したもので、筐体のパネルは子供の操縦内容には関係なく、種々の色や模様に変更することができる。これは本発明の応用例であり、子供がゲームを行ってその内容に表示パネルの内容を変えるものではない。
（ｄ）はさらにラジコンの自動車の筐体の表示パネルを変えるもので、ラジコン操縦を行っているプレイヤによってその表示パネルを表示を変えることができるもので、この例も本発明の応用例である。
【００２２】
以上の実施の形態は、外観に設ける表示パネルとしてその表面を容易に曲げることができる有機ＥＬの例を示したが、高輝度ＬＥＤアレイ，液晶ディスプレイ、その他の表示パネルを使用することも可能である。
また、ゲーム画面を表示するための画像処理部とぞれぞれの表示パネルを駆動するパネル駆動回路を別回路とした例を説明したが、レンダリング結果をゲーム画面と各表示パネルに対し同じ画像処理部によって画像処理してゲーム画面および各表示パネルに表示する構成を用いることも可能である。さらにゲーム画面および各表示パネル毎に個別の画像処理部を接続して画像処理を行いゲーム画面および各表示パネルに表示することもできる。
このような構成は図５の画像処理部１６およびパネル駆動回路２１による画像処理よりプログラムの作成の手間が少なくなり、画像処理速度が速くなり、ゲーム機製造費用が安価になるという有利な点を有している。
本発明はゲーム画面に登場する車などの移動体の状態をゲーム機筐体に表示するものであるが、ゲーム機筐体にはゲーム内容とは関係のない画像を表示することも可能である。
【産業上の利用可能性】
【００２３】
ゲームセンタやイベント会場などに設置される業務用ゲーム機に用いられる。
【図面の簡単な説明】
【００２４】
【図１】本発明によるゲーム装置筐体の外観を説明するための図である。
【図２】図１のゲーム装置のゲーム画面の一例を説明するための図である。
【図３Ａ】図１のゲーム装置のゲーム画面に表示される車を撮影する方向を説明するため側面から見たゲーム世界を示す図である。
【図３Ｂ】図１のゲーム装置のゲーム画面に表示される車を撮影する方向を説明するため上面から見たゲーム世界を示す図である。
【図４】ゲーム画面内の車を各方向から見た映像の例を示すゲーム装置筐体の斜視図である。
【図５】本発明によるゲーム装置筐体の回路の実施の形態を示す回路図である。
【図６】ゲームメインの流れを説明するためのフローチャートである。
【図７】ゲーム機筐体の各面に表示パネルが存在しない場合のゲームの表示処理を説明するためのフローチャートである。
【図８】本発明によるゲーム機筐体の表示処理を説明するためのフローチャートである。
【図９】図８の各面の投影の流れを説明するためのフローチャートである。
【図１０】本発明によるゲーム機筐体の他の実施の形態を説明するための図である。
【図１１】図１０のゲーム画面中の飛行機の状態を説明するための図である。
【図１２】他のゲーム機筐体の形状の例を説明するための図である。
【符号の説明】
【００２５】
１  ゲーム機  
２  コイン投入部  
３ａ，３ｂ，３ｃ，３ｄ，３ｅ  表示パネル    
４  ハンドル  
５  プレイヤ  
６ａ，６ｂ，６ｃ，６ｄ，６ｅ  カメラ  
７  画像表示部（ゲーム画面）
８  火花・煙
９  バス
１１  操作部
１２  ＣＰＵ
１３  コイン関連装置
１４  入出力制御装置
１５  バス
１６  画像処理部
１７  サウンド処理部
１８  ＲＯＭ
１９  ＲＡＭ
２０  ＨＤＤ
２１  パネル駆動回路
２２  スピーカ
２３  飛行機
【図１】
2008178510.tif 000003
【図２】
2008178510.tif 000004
【図３Ａ】
2008178510.tif 000005
【図３Ｂ】
2008178510.tif 000006
【図４】
2008178510.tif 000007
【図５】
2008178510.tif 000008
【図６】
2008178510.tif 000009
【図７】
2008178510.tif 000010
【図８】
2008178510.tif 000011
【図９】
2008178510.tif 000012
【図１０】
2008178510.tif 000013
【図１１】
2008178510.tif 000014
【図１２】
2008178510.tif 000015